(57)【要約】【課題】  階調度の制限や２重画像の発生を防止しつつ、フリッカ−を低減することができるＰＤＰ表示装置及びＰＤＰ表示方法を提供する。【解決手段】  入力する映像信号の垂直周期に基づいて、サブフィ−ルドシ−ケンス及び当該サブフィ−ルドシ−ケンスに対応するサステインパルス数を決定し、当該決定したフレ−ム毎に異なるサブフィ−ルドシ−ケンス及び対応するサステインパルス数をＰＤＰ駆動回路に出力して、サブフィ−ルドデ−タに変換された映像信号の発光重心をフレ−ム毎に前に移動させた映像を表示する。【選択図】  図８
2005249928.tif 000002
【特許請求の範囲】
【請求項１】
サブフィ−ルド方式のＰＤＰ表示装置において、
入力する映像信号の垂直周期に基づいて、サブフィ−ルドシ−ケンス及び当該サブフィ−ルドシ−ケンスに対応するサステインパルス数を示すフレ−ム番号を出力するサブフィ−ルドサイクル制御部と、
前記サステインデ−タ制御部から入力するフレ−ム番号に基づいて、各サブフィ−ルドのサステインパルス数を決定し、ＰＤＰ駆動回路に出力するサステインデ−タ制御部と、
フレ−ム毎に異なる複数のサブフィ−ルドシ−ケンスのうち、前記サブフィ−ルドサイクル制御部から入力するフレ−ム番号に対応するサブフィ−ルドシ−ケンスを用いて、サブフィ−ルドデ−タに変換された映像信号の発光重心をフレ−ム毎に前に移動させて前記ＰＤＰ駆動回路に出力するサブフィ−ルドデ−タ再構成部と
を具備することを特徴とするＰＤＰ表示装置。
【請求項２】
前記サブフィ−ルドシ−ケンスは、発光強度の起伏が、前記映像信号の垂直周期によって定められる１フレ−ムサイクルのフレ−ム数より多くなるように設定され、
前記サブフィ−ルドデ−タ再構成部は、前記サブフィ−ルドサイクル制御部から入力するフレ−ム番号に対応するサブフィ−ルドシ−ケンスを用いて、発光強度の起伏が、前記映像信号の垂直周期によって定められる１フレ−ムサイクルのフレ−ム数より多くなるように、サブフィ−ルドデ−タに変換された映像信号の発光重心をフレ−ム毎に前に移動させて前記ＰＤＰ駆動回路に出力する
ことを特徴とする請求項１に記載のＰＤＰ表示装置。
【請求項３】
前記サブフィ−ルドサイクル制御部は、入力する映像信号の垂直周期が５０Hzであることを検出した場合、発光強度の起伏が、前記映像信号の垂直周期によって定められる１フレ−ムサイクルのフレ−ム数より多くなるように設定されたサブフィ−ルドシ−ケンス及び当該サブフィ−ルドシ−ケンスに対応するサステインパルス数を示すフレ−ム番号を出力する
ことを特徴とする請求項２に記載のＰＤＰ表示装置。
【請求項４】
サブフィ−ルド方式のＰＤＰ表示方法において、
入力する映像信号の垂直周期に基づいて、サブフィ−ルドシ−ケンス及び当該サブフィ−ルドシ−ケンスに対応するサステインパルス数を決定し、
当該決定したフレ−ム毎に異なるサブフィ−ルドシ−ケンス及び対応するサステインパルス数をＰＤＰ駆動回路に出力して、サブフィ−ルドデ−タに変換された映像信号の発光重心をフレ−ム毎に前に移動させた映像を表示する
ことを特徴とするＰＤＰ表示方法。
【請求項５】
前記サブフィ−ルドシ−ケンスは、発光強度の起伏が、前記映像信号の垂直周期によって定められる１フレ−ムサイクルのフレ−ム数より多くなるように設定され、
前記サブフィ−ルドシ−ケンスを用いて、発光強度の起伏が、前記映像信号の垂直周期によって定められる１フレ−ムサイクルのフレ−ム数より多くなるように、サブフィ−ルドデ−タに変換された映像信号の発光重心をフレ−ム毎に前に移動させた映像を表示する
ことを特徴とする請求項４に記載のＰＤＰ表示方法。
【請求項６】
前記入力する映像信号の垂直周期が５０Hzであることを検出した場合、発光強度の起伏が、前記映像信号の垂直周期によって定められる１フレ−ムサイクルのフレ−ム数より多くなるように設定されたサブフィ−ルドシ−ケンス及び当該サブフィ−ルドシ−ケンスに対応するサステインパルス数を決定する
ことを特徴とする請求項５に記載のＰＤＰ表示方法。
【発明の詳細な説明】
【技術分野】
【０００１】
本発明は、ＰＤＰ（プラズマディスプレイパネル）表示装置及びＰＤＰ表示方法に関する。
【背景技術】
【０００２】
ＮＴＳＣ方式では垂直駆動周波数は６０Ｈｚであり、一般的に人間の目の特性として６０Ｈｚの点滅ではフリッカ−として認識されないので問題は無い。しかし、欧州等で採用されているＰＡＬ／ＳＥＣＡＭ方式では、垂直駆動周波数が５０Ｈｚであるために、フリッカ−が目立ってしまう。
１毎の画像を、決められた重み付けがされた複数のサブフィ−ルド（以下、ＳＦと略す）に分割して表示するサブフィ−ルド方式のＰＤＰでも、６０Ｈｚで駆動していれば何ら問題は無いが、５０Ｈｚで表示する時には、フリッカ−が目立ってしまう。この改善策として、輝度比の大きいサブフィ−ルドから可能な限り２つに分割し、それを１フィ−ルドの中で均等に配置して、見かけ上、１００Ｈｚで駆動しているようにして、フリッカ−を低減する手法が知られている（特許文献１の図２を参照）。
【特許文献１】特開２００２−２２１９３４号公報
【発明の開示】
【発明が解決しようとする課題】
【０００３】
前記の方法はいくつかの欠点も合わせ持つ。
まず、１フィ−ルドの時間はＰＡＬ／ＳＥＣＡＭ方式ならば２０ｍｓｅｃと決まっているので、その中に入れられるサブフィ−ルドの数は決まっており、通常は１０前後程度のサブフィ−ルドが設けられている。しかし、前記のような方式を取ると、重み付けの大きいサブフィ−ルドから分割してしまうので、それまでと同じ重み付けでは、表示できる階調数が減ることになり易いという問題がある。
第２に、サブフィ−ルドを２つのグル−プに分割するために、同じ画素を表示するのに、時間的に差の有る２つのグル−プのサブフィ−ルドを用いるので、２重像が生じ易いという問題がある。
【０００４】
本発明は、このような事情を考慮してなされたものであり、その目的は、階調度の制限や２重画像の発生を防止しつつ、フリッカ−を低減することができるＰＤＰ表示装置及びＰＤＰ表示方法を提供することにある。
【課題を解決するための手段】
【０００５】
この発明は上記の課題を解決すべくなされたもので、本発明は、サブフィ−ルド方式のＰＤＰ表示装置において、入力する映像信号の垂直周期に基づいて、サブフィ−ルドシ−ケンス及び当該サブフィ−ルドシ−ケンスに対応するサステインパルス数を示すフレ−ム番号を出力するサブフィ−ルドサイクル制御部と、前記サステインデ−タ制御部から入力するフレ−ム番号に基づいて、各サブフィ−ルドのサステインパルス数を決定し、ＰＤＰ駆動回路に出力するサステインデ−タ制御部と、フレ−ム毎に異なる複数のサブフィ−ルドシ−ケンスのうち、前記サブフィ−ルドサイクル制御部から入力するフレ−ム番号に対応するサブフィ−ルドシ−ケンスを用いて、サブフィ−ルドデ−タに変換された映像信号の発光重心をフレ−ム毎に前に移動させて前記ＰＤＰ駆動回路に出力するサブフィ−ルドデ−タ再構成部とを具備することを特徴とする。
【０００６】
また、本発明は、前記サブフィ−ルドシ−ケンスは、発光強度の起伏が、前記映像信号の垂直周期によって定められる１フレ−ムサイクルのフレ−ム数より多くなるように設定され、前記サブフィ−ルドデ−タ再構成部は、前記サブフィ−ルドサイクル制御部から入力するフレ−ム番号に対応するサブフィ−ルドシ−ケンスを用いて、発光強度の起伏が、前記映像信号の垂直周期によって定められる１フレ−ムサイクルのフレ−ム数より多くなるように、サブフィ−ルドデ−タに変換された映像信号の発光重心をフレ−ム毎に前に移動させて前記ＰＤＰ駆動回路に出力することを特徴とする。
【０００７】
また、本発明は、前記サブフィ−ルドサイクル制御部は、入力する映像信号の垂直周期が５０Hzであることを検出した場合、発光強度の起伏が、前記映像信号の垂直周期によって定められる１フレ−ムサイクルのフレ−ム数より多くなるように設定されたサブフィ−ルドシ−ケンス及び当該サブフィ−ルドシ−ケンスに対応するサステインパルス数を示すフレ−ム番号を出力することを特徴とする。
【０００８】
また、本発明は、サブフィ−ルド方式のＰＤＰ表示方法において、入力する映像信号の垂直周期に基づいて、サブフィ−ルドシ−ケンス及び当該サブフィ−ルドシ−ケンスに対応するサステインパルス数を決定し、当該決定したフレ−ム毎に異なるサブフィ−ルドシ−ケンス及び対応するサステインパルス数をＰＤＰ駆動回路に出力して、サブフィ−ルドデ−タに変換された映像信号の発光重心をフレ−ム毎に前に移動させた映像を表示することを特徴とする。
【０００９】
また、本発明は、前記サブフィ−ルドシ−ケンスは、発光強度の起伏が、前記映像信号の垂直周期によって定められる１フレ−ムサイクルのフレ−ム数より多くなるように設定され、前記サブフィ−ルドシ−ケンスを用いて、発光強度の起伏が、前記映像信号の垂直周期によって定められる１フレ−ムサイクルのフレ−ム数より多くなるように、サブフィ−ルドデ−タに変換された映像信号の発光重心をフレ−ム毎に前に移動させた映像を表示することを特徴とする。
【００１０】
また、本発明は、前記入力する映像信号の垂直周期が５０Hzであることを検出した場合、発光強度の起伏が、前記映像信号の垂直周期によって定められる１フレ−ムサイクルのフレ−ム数より多くなるように設定されたサブフィ−ルドシ−ケンス及び当該サブフィ−ルドシ−ケンスに対応するサステインパルス数を決定することを特徴とする。
【発明の効果】
【００１１】
以上説明したように、本発明によれば、入力する映像信号の垂直周期に基づいて、サブフィ−ルドシ−ケンス及び当該サブフィ−ルドシ−ケンスに対応するサステインパルス数を決定し、当該決定したフレ−ム毎に異なるサブフィ−ルドシ−ケンス及び対応するサステインパルス数をＰＤＰ駆動回路に出力して、サブフィ−ルドデ−タに変換された映像信号の発光重心をフレ−ム毎に前に移動させた映像を表示する。
このように構成することで、フレ−ム毎に異なるサブフィ−ルドシ−ケンスがＰＤＰ駆動回路に供給され、サブフィ−ルドデ−タに変換された映像信号の発光重心は、フレ−ム毎に前に移動する。したがって、発光強度の起伏を１フレ−ム２山にしてしまうのに比べて、階調度の制限がゆるく、かつ、同じフレ−ムを異なる時刻に表示することもしないため、２重画像の発生を防止できる。同時に、発光重心から見た見掛け上のサイクルは元の垂直周期よりも短くなるため、フリッカ−を低減する効果が得られる。
【００１２】
また、本発明によれば、サブフィ−ルドシ−ケンスは、発光強度の起伏が映像信号の垂直周期によって定められる１フレ−ムサイクルのフレ−ム数より多くなるように設定され、当該サブフィ−ルドシ−ケンスを用いて、発光強度の起伏が映像信号の垂直周期によって定められる１フレ−ムサイクルのフレ−ム数より多くなるように、サブフィ−ルドデ−タに変換された映像信号の発光重心をフレ−ム毎に前に移動させた映像を表示する。
このように構成することで、発光強度の起伏が映像信号の垂直周期によって定められる１フレ−ムサイクルのフレ−ム数より多くなる。したがって、発光強度の起伏を１フレ−ム２山にしてしまうのに比べて、階調度の制限がゆるく、かつ、２重画像の発生を防止しつつ、発光重心から見た見掛け上のサイクルは元の垂直周期よりも短くなるため、フリッカ−を低減する効果が得られる。
【００１３】
また、本発明によれば、入力する映像信号の垂直周期が５０Hzであることを検出した場合、発光強度の起伏が、前記映像信号の垂直周期によって定められる１フレ−ムサイクルのフレ−ム数より多くなるように設定されたサブフィ−ルドシ−ケンス及び当該サブフィ−ルドシ−ケンスに対応するサステインパルス数を決定する。
このように構成することで、フリッカ−が目立ってしまう垂直周期５０Ｈｚを検出した場合に、発光重心から見た見掛け上のサイクルを元の垂直周期よりも短くし、フリッカ−を低減する効果が得られる。
【発明を実施するための最良の形態】
【００１４】
以下、本発明を実施するための最良の形態について説明する。
まず本発明の前提となる考え方について説明する。
図１は、サブフィ−ルド方式を使って多階調表示を行うＰＤＰ表示装置の基本的なサブフィ−ルドシ−ケンス（８サブフィ−ルドの場合）を表す。一つのサブフィ−ルドは、画素毎にＯＮ／ＯＦＦを制御するための書き込みを行うアドレス期間と、その書き込まれた画素を実際に発光させるための維持放電を行うサステイン期間とで構成される。サステイン期間に与えられるサステインパルス数は、サブフィ−ルド毎に異なっており、下に書かれている数字がその重み付けに相当する。
【００１５】
図２は、図１のサブフィ−ルドシ−ケンスを用いて、２５６階調を表示するサブフィ−ルドの点灯／非点灯パタ−ンを表す。サブフィ−ルド方式のＰＤＰ表示装置は、映像信号をこのようなサブフィ−ルドデ−タに変換し、画素毎かつサブフィ−ルド毎に、点灯／非点灯の制御を行う。これにより、画素毎に多階調表示が可能となる。図１１は、本発明の前提となる従来のＰＤＰ表示装置の構成を示しており、サステインデ−タ制御部３１０が、入力された映像信号が示す階調に基づいて、サブフィ−ルドの点灯／非点灯パタ−ンを制御する。
なお、図１は基本的なストレ−トバイナリ（１／２／４／８／１６／．．．）のサブフィ−ルドウェイト（重み付け）であり、実際には、様々な種類のウェイトが用いられる。
【００１６】
サブフィ−ルド毎の発光は、全画素（全画面）分を一度に行われる。
一方、元の映像信号は、図３に示すように、通常は画面の左上から、時系列的に入力され、サブフィ−ルドから見た全画素のデ−タは、１フレ−ムの最後で確定する。
そこで、図３に示す映像信号のリアレンジ操作が必要になる。すなわち、図１１に示すように、サブフィ−ルドデ−タ変換部３３０が、入力する映像信号を図２に示すサブフィ−ルド単位のＯＮ／ＯＦＦ信号のサブフィ−ルドデ−タに変換し、サブフィ−ルドデ−タリアレンジ部３２０で、１フレ−ム分のサブフィ−ルドデ−タをメモリに蓄積する。
そして、サブフィ−ルドデ−タリアレンジ部３２０は、１フレ−ム分の全画素のデ−タが確定すると、固定されたサブフィ−ルドシ−ケンスを用いて、１サブフィ−ルド毎にデ−タに並べ換えて、サブフィ−ルド単位でＯＮ／ＯＦＦ情報を読み出し、ＰＤＰ駆動回路であるアドレスドライブモジュ−ル２２０に出力する。
【００１７】
一方、サステインデ−タ制御部３１０も、サブフィ−ルドデ−タ変換部３３０及びサブフィ−ルドデ−タリアレンジ部３２０の動作と同期して、該当するサブフィ−ルドの発光開始時間より前に、サブフィ−ルドのウェイトに相当するサステインパルス数をＸドライバ−モジュ−ル２１０及びＹドライバ−モジュ−ル２２０に出力する。サステインデ−タ制御部３１０が出力するウェイト情報（サステインパルス数）は、サブフィ−ルド毎に決定される。また、サステインデ−タ制御部３１０は、入力する映像信号の総量やピ−クレベルの値によって、サステインパルスを変化させ、消費電力の低減や、その他の操作を行う。
そして、サブフィ−ルドデ−タリアレンジ部３２０は、点灯処理と並行して、次のフレ−ムのデ−タを蓄積して行く。
なおこの構成は、フリッカ−低減のために２山サブフィ−ルド手法を用いる従来例に限らず、一般的なＰＤＰモジュ−ルの構成であり、また逆に、２山サブフィ−ルド手法を実現するのにも十分な構成である。
【００１８】
図４は、６０Ｈｚ（ＮＴＳＣ）の１２サブフィ−ルドのウェイトを示し、図５は、このサブフィ−ルドシ−ケンスの実際の発光強度を連続する複数フィ−ルド分を示している。
ここで、６０Ｈｚ（１周期=１６.７ｍＳｅｃ）の時には、人間の目には十分な残像効果が有るために、このように時間的に起伏の有る発光であっても、目には定常的に連続した発光として捕らえられる。
しかし、１周期が短くなり５０Ｈｚ（１周期=２０ｍＳｅｃ）で、この同じサブフィ−ルドシ−ケンスを用いると、図５のように、発光シ−ケンスが長くなり、フリッカ−となって映る。これが、主に欧州圏でＰＡＬまたはＳＥＣＡＭの映像を表示した時に、フリッカ−の目立つ理由である。
図６は、従来のフリッカ−低減策を適用した場合のサブフィ−ルドとウェイトの関係を示す。図４に示すノ−マルサブフィ−ルドを重み付けの大きい方から２つに分割し、発光強度の起伏が２つになるようなサブフィ−ルドシ−ケンスとする。
このようにすると、１フレ−ムを２山の発光によって表示するために、図７に示すように、起伏の周期は１００Ｈｚになり、先ほど述べたフリッカ−減少からは解放される。
【００１９】
しかし、上述したように、この手法は欠点も合わせ持つ。まず、図４では１２サブフィ−ルドの場合を示すが、１フレ−ムの時間は決まっているために、当然その中に入れられるサブフィ−ルドの数も限られる。
しかし、この手法では、重み付けの大きいサブフィ−ルドを分割するため、階調表現のためのサブフィ−ルドの組み合わせも限られてしまう。このため、表示できる階調数が減ってしまう。
この解決策として、輝度を犠牲にしてサステイン期間を短く（サステインパルスを少なく）し、空いた時間に新しいサブフィ−ルドを設けることも考えられるが、通常、サステイン期間の総和よりもアドレス期間の総和の方がはるかに長いという制約があるため、少々サステイン期間を短くしても、新しいサブフィ−ルドを追加することはできない。
【００２０】
また、もう一つの欠点として、上述した２重像の発生が挙げられる。１フレ−ムの中にある時間間隔を置いて発光する２山の発光強度が存在する。動画像を表示した場合、１山目の発光が終了し、２山目の発光が開始される頃には、視線は物体の動きに追従して、その方向へ向かっている。しかし、網膜上の残像効果によって１山目の発光はまだ残っているところに、２山目の発光が入って来るために、人間の知覚する画像としては、１山目と２山目の発光が、動き量に応じて位置のずれた別のものとして知覚されてしまうため、２重像となる。
この２重像現象は、サブフィ−ルドのウェイトと発行タイミングによって状況は異なるが、２山配置のサブフィ−ルドを用いてフリッカ−を低減する場合、２重像現象と階調数の低下は避けられない。
【００２１】
そこで、本発明は、図８に示すように、入力する映像信号のフレ−ム周期を保ったまま、サブフィ−ルドの発光重心の周期を速くして、見掛け上、フレ−ム周期を上げることでフリッカ−を防止する。
【実施例１】
【００２２】
以下、図面を参照して、本発明のＰＤＰ表示装置の一実施形態について説明する。図９は、本実施形態のＰＤＰ表示装置１の構成図である。
本実施形態のＰＤＰ表示装置１は、サブフィ−ルドサイクル制御部１００、サステインデータ制御部１１０、サブフィールドデータリアレンジ部１２０、サブフィールドデータ変換部１３０、メモリ１４０、ＰＤＰモジュール２００、Ｘドライブモジュール２１０、Ｙドライブモジュール２１２、アドレスドライブモジュール２２０から構成される。
サブフィ−ルドサイクル制御部１００は、入力する映像信号の垂直周期に基づいて、サブフィ−ルドシ−ケンス及び当該サブフィ−ルドシ−ケンスに対応するサステインパルス数を示すフレ−ム番号をサステインデータ制御部１１０及びサブフィールドデータリアレンジ部１２０に出力する。
【００２３】
具体的には、サブフィ−ルドサイクル制御部１００は、映像信号を入力して、垂直周期が予め設定された周波数（５０Ｈｚ）であるか否かを判定し、垂直周期が５０Hzであることを検出した場合、発光強度の起伏が、映像信号の垂直周期によって定められる１フレ−ムサイクルのフレ−ム数より多くなるように設定されたサブフィ−ルドシ−ケンス及び当該サブフィ−ルドシ−ケンスに対応するサステインパルス数を示すフレ−ム番号を映像信号と同期をとりながら、サステインデータ制御部１１０及びサブフィールドデータリアレンジ部１２０に出力する。
本実施形態においては、サブフィ−ルドシ−ケンスパタ−ンを適用するためのＩＤとして、図１０の各テーブルを示すフレ−ム番号１〜５を用いる。
【００２４】
サステインデータ制御部１１０は、図２に示す点灯シーケンスのテーブル（サステインナンバーテーブル１１１）を保持しており、サブフィ−ルドサイクル制御部１００から入力するフレ−ム番号（ＩＤ：１〜５）に基づいて、フレ−ム毎に変わるサブフィールドシ−ケンスに合わせたサステインパルス数（ウェイト）をサブフィ−ルド単位で決定し、該当するサブフィ−ルドの発光が始まる前に、ＰＤＰ駆動回路であるＸドライブモジュール２１０及びＹドライブモジュール２１２に出力する。
【００２５】
サブフィールドデータリアレンジ（再構成）部１２０は、図１０に示すサブフィ−ルドシ−ケンステ−ブル１２１（テーブル１／２／３の組又はテーブル１−１／１−２／１−３／２−１／３−１の組）を保持しており、サブフィ−ルドサイクル制御部１００から入力するフレ−ム番号（ＩＤ：１〜５）に基づいて、発光強度の起伏が、映像信号の垂直周期によって定められる１フレ−ムサイクルのフレ−ム数より多くなるように、該当するフレ−ム番号のサブフィ−ルドの点灯順序（シ−ケンス）にサブフィ−ルドデ−タ変換部１３０から入力するサブフィールドデ−タを並べ換えて、映像信号の発光重心をフレ−ム毎に前に移動させて、ＰＤＰ駆動回路であるアドレスドライブモジュール２２０に出力する。
具体的には、サブフィールドデータリアレンジ部１２０は、１フレ−ム分のサブフィ−ルドデ−タをメモリに蓄積し、１フレ−ム分の全画素のデ−タが確定すると、１サブフィ−ルド毎に、該当するフレ−ム番号のサブフィ−ルドの点灯順序（シ−ケンス）になるようにデ−タに並べ換えて、サブフィ−ルド単位でＯＮ／ＯＦＦ情報を読み出し、ＰＤＰ駆動回路であるアドレスドライブモジュ−ル２２０に出力する。
【００２６】
すなわち、本実施形態においては、フレーム毎のサブフィールドシーケンスは固定ではなく、点灯する順序に変更される。例えば、図８に示すサブフィ−ルドシ−ケンスは、５フレーム間で６つの発光強度の起伏が生じるように、発光重心をすこしづつ前に移動している。このように、１２サブフィ−ルドの点灯する順番をフレ−ム単位で入れ換える。図８では、１２サブフィ−ルドの点灯する順番が５フレ−ム単位で一巡する。
入力される映像信号により決まる１フレ−ムの時間は５０Ｈｚであり、発光重心から見た見掛け上のサイクルはこの元の５０Ｈｚよりも短くなり、６０Ｈｚに近付く。したがって、フリッカ−を低減できる。
【００２７】
このようなサブフィ−ルドシ−ケンスを設定するため、図１０に示す、基本となる３つのサブフィ−ルドシ−ケンステ−ブル１２１（テーブル１／２／３の組）を用いた場合、テ−ブル１／２／３を元にして５つのサブフィ−ルドシ−ケンスパタ−ンを生成して、各フレーム番号に割り当てる。具体的には、まず１２個のサブフィ−ルドＳＦ１〜１２の順にサステインパルス（ウェイト）を２〜１３０まで単調に増加させたテ−ブル１の点灯順番を２サブフィ−ルドづつ前にずらしたテ−ブル１−１を生成し、フレーム番号１に割り当てる。また、テ−ブル１−１の点灯順番を２サブフィ−ルドづつ前にずらしたテ−ブル１−２、テ−ブル１−２の点灯順番を２サブフィ−ルドづつ前にずらしたテ−ブル１−３を生成し、フレーム番号２、３に割り当てる
【００２８】
また、同様にして、１２個のサブフィ−ルドＳＦ１〜１２の順にサステインパルス（ウェイト）を２〜１３０まで単調に増加させているが、一部テ−ブル１とウェイトが異なるテ−ブル２を元に点灯順番を８サブフィ−ルドづつ前にずらしたテ−ブル２−１を生成し、フレーム番号４に割り当てる。
同様に、１２個のサブフィ−ルドＳＦ１〜１２の順にサステインパルス（ウェイト）を２〜１３０まで単調に増加させているが、一部テ−ブル１、２と異なるウェイトを持つテ−ブル３を元に点灯順番を８サブフィ−ルドづつ前にずらしたテ−ブル３−１を生成し、フレーム番号５に割り当てて、５種類のサブフィ−ルドシ−ケンスが得られる。
【００２９】
ただし、サブフィ−ルドの点灯順序の変更は、ただ単純に入れ換えただけでは、人間の目の積分効果により、必ずしも一定の重心移動とはならない。このために、サブフィ−ルドのウェイトの変更と合わせてサブフィ−ルドの点灯順序を変更する。
また、これらのサブフィールドシ−ケンスは推論及び実験で決まる。したがって、ウェイト変更は行わず、ランダムに点灯順序を入れ換えてもよい。また、基本となる３つのテ−ブルを用いて他の２つのテーブルを生成する場合について説明したが、最初から５つのテ−ブル（テーブル１−１／１−２／１−３／２−１／３−１の組）を格納しても良い。
【００３０】
サブフィールドデータ変換部１３０は、サブフィ−ルドデ−タ変換部３３０と同様に、映像信号を入力して、図２に示すサブフィ−ルド単位のＯＮ／ＯＦＦ信号のサブフィ−ルドデ−タに変換し、サブフィールドデータリアレンジ部１２０に出力する。
メモリ１４０は、サブフィールドデータリアレンジ部１２０がサブフィールドデータを一時的に格納しておくためのフィールドメモリである。
また、ＰＤＰモジュール２００は、ＰＤＰ表示部の発光素子であり、Ｘドライブモジュール２１０、Ｙドライブモジュール２１２は、ＰＤＰモジュール２００へ駆動パルスを供給し、アドレスドライブモジュール２２０は、駆動する素子のアドレスを供給する。
【００３１】
次に、本実施形態のＰＤＰ表示装置１の動作について説明する。
映像信号がＰＤＰ表示装置１に入力されると、サブフィ−ルドサイクル制御部１００は、映像信号が５０Ｈｚであることを判定し、発光重心から見た見掛けの周期が６０Ｈｚとなるように、発光重心を前に移動したサブフィ−ルドシ−ケンスパタ−ンを適用する。すなわち、サブフィ−ルドサイクル制御部１００は、フレーム番号１〜５を映像信号と同期をとりながら出力する。
サブフィ−ルドデ−タリアレンジ部１２０は、サブフィ−ルドサイクル制御部１００から供給されるフレーム番号に該当するフレ−ムのサブフィ−ルドの点灯順序を、サブフィ−ルドシ−ケンステ−ブル１２１を参照して取得し、サブフィ−ルドデ−タ変換部１３０から入力するサブフィールドデ−タを並べ換えて、アドレスドライブモジュール２２０に出力する。
【００３２】
一方、サブフィ−ルドデ−タリアレンジ部１２０と同期して、サステインデータ制御部１１０は、サブフィ−ルドサイクル制御部１００から供給されるフレーム番号に該当するフレ−ムのサブフィ−ルド単位のウェイトを、サステインナンバーテーブル１１１を参照して取得し、該当するサブフィ−ルドの発光が始まる前に、Ｘドライバ−モジュ−ル２１０およびＹドライバ−モジュ−ル２２０に出力する。
【００３３】
以上説明したように、本実施形態のＰＤＰ表示装置１によれば、入力する映像信号の垂直周期に基づいて、サブフィ−ルドシ−ケンス及び当該サブフィ−ルドシ−ケンスに対応するサステインパルス数を決定し、当該決定したフレ−ム毎に異なるサブフィ−ルドシ−ケンス及び対応するサステインパルス数をＰＤＰ駆動回路に出力して、サブフィ−ルドデ−タに変換された映像信号の発光重心をフレ−ム毎に前に移動させた映像を表示する。
このように構成することで、フレ−ム毎に異なるサブフィ−ルドシ−ケンスがＰＤＰ駆動回路に供給され、サブフィ−ルドデ−タに変換された映像信号の発光重心は、フレ−ム毎に前に移動する。そして、映像信号の発光重心が前に移動することで、図８に示すように、５０Ｈｚの１ローリングサイクル（６０サブフィールド）内に、１０サブフィールドごとに発光強度の起伏が生じる。
したがって、発光強度の起伏を１フレ−ム２山にしてしまうのに比べて、階調度の制限がゆるく、かつ、同じフレ−ムを異なる時刻に表示することもしないため、２重画像の発生を防止できる。同時に、発光重心から見た見掛け上のサイクルは元の垂直周期よりも短くなるため、フリッカ−を低減する効果が得られる。
【図面の簡単な説明】
【００３４】
【図１】ＰＤＰ表示装置のサブフィ−ルドシ−ケンス。
【図２】サブフィ−ルドの点灯／非点灯パタ−ン。
【図３】映像信号のリアレンジ操作の説明図。
【図４】ノーマルのウェイトグラフ図。
【図５】６０Ｈｚ（ＮＴＳＣ）、５０Ｈｚ（ＰＡＬ）の連続する複数フィ−ルド分のウェイトグラフ図。
【図６】５０Ｈｚ（ＰＡＬ）の２山サブフィ−ルドのウェイトグラフ図。
【図７】２山サブフィ−ルドの連続する複数フィ−ルド分のウェイトグラフ図。
【図８】発光重心を前にずらしたサブフィ−ルドシ−ケンス。
【図９】本実施形態のＰＤＰ表示装置１の構成図。
【図１０】サブフィ−ルドシ−ケンステ−ブル１２１のテーブル構成と、サブフィ−ルドシ−ケンスの説明図。
【図１１】従来のＰＤＰ表示装置の構成図。
【符号の説明】
【００３５】
１…ＰＤＰ表示装置
１００…サブフィ−ルドサイクル制御部
１１０、３１０…サステインデータ制御部
１１１…サステインナンバーテーブル
１２０、３２０…サブフィールドデータリアレンジ部
１２１…サブフィールドシーケンステーブル
１３０、３３０…サブフィールドデータ変換部
１４０、３４０…メモリ
２００…ＰＤＰモジュール
２１０…Ｘドライブモジュール
２１２…Ｙドライブモジュール
２２０…アドレスドライブモジュール
【図１】
2005249928.tif 000003
【図２】
2005249928.tif 000004
【図３】
2005249928.tif 000005
【図４】
2005249928.tif 000006
【図５】
2005249928.tif 000007
【図６】
2005249928.tif 000008
【図７】
2005249928.tif 000009
【図８】
2005249928.tif 000010
【図９】
2005249928.tif 000011
【図１０】
2005249928.tif 000012
【図１１】
2005249928.tif 000013